(57)【要約】【課題】  乳幼児を入浴させるに際し、乳幼児の身体から滑り落ちることがなく、更には、乳幼児の身体を保温する効果や安心感を与える効果を損なうことなしに、目視により確認しながら身体を洗うことが可能な入浴用衣服を提供する。【解決手段】  入浴に際して乳幼児に着衣させる入浴用衣服１０であり、腕を通すことが可能な腕部１ａ，１ｂと、胴の少なくとも一部を被覆可能な胴部２とを備える。腕部１ａ，１ｂや胴部２は、着衣したときに肌が透ける程度に透明又は半透明又はメッシュ状である。【選択図】  図１
0003122421.tif 000002
【実用新案登録請求の範囲】
【請求項１】
入浴に際して乳幼児に着衣させる入浴用衣服であり、
腕を通すことが可能な腕部と、胴の少なくとも一部を被覆可能な胴部とを備えることを特徴とする入浴用衣服。
【請求項２】
前記腕部及び／又は胴部は、着衣したときに肌が透ける程度に透明又は半透明又はメッシュ状であることを特徴とする請求項１記載の入浴用衣服。
【請求項３】
前記腕部及び／又は前記胴部は取り付け取り外し可能であることを特徴とする請求項１又は請求項２記載の入浴用衣服。
【請求項４】
前記腕部及び／又は前記胴部は取り付け位置が変更可能であることを特徴とする請求項３記載の入浴用衣服。
【請求項５】
前記入浴用衣服を着衣させた状態で身体に固定するための固定手段を備えることを特徴とする請求項１乃至請求項４のいずれか１項に記載の入浴用衣服。
【考案の詳細な説明】
【技術分野】
【０００１】
本考案は、入浴に際して乳幼児に着衣させる入浴用衣服に関する。
【背景技術】
【０００２】
乳幼児を入浴させるに際しては、乳幼児の身体を保温したり、乳幼児に安心感を与えたりすることを目的として、乳幼児の胸部付近にタオル等の布を掛けることが多い。生後間もないうちは図５のように、小型の浴槽に身体を浸けて入浴させたり、生後１ヶ月程経過すると、親が抱きかかえて家の内風呂にて入浴させたりするが、いずれの場合も、乳幼児の胸部付近に布を掛けて入浴させる。この胸部付近に掛ける布は、タオル等のような長方形状の一枚の布を利用することが多いが、入浴用に工夫されたものも提案されている。たとえば、特許文献１には、沐浴用エプロンが開示されている。この沐浴用エプロンは、縦長の布地を、一方は乳幼児に巻き付け、他方は母親等の乳幼児を抱きかかえる者の首に結んで、乳幼児を胸元に安定して抱きかかえられるようにしたものである。
【特許文献１】実開平５−５１９０４号公報
【考案の開示】
【考案が解決しようとする課題】
【０００３】
しかしながら、上記のように乳幼児にタオル等の一枚の布を掛ける場合は、タオル等が身体から滑り落ちやすく、親等はタオル等が滑り落ちないように常に注意しながら入浴させなければならなかった。とくに、タオル等の下に手を入れて身体を洗う場合は、掛けられただけの状態のタオル等が手の動きによってずれたり落ちたりしやすく、洗うのが大変困難であった。また、タオル等の布や上記沐浴用エプロンは、長方形状や縦長などの一枚の布地を用いるため、乳幼児の腕や肩などが一部露出してしまい、保温効果や安心感を与える効果が十分に得られなかった。とくに、沐浴用エプロンを用いて肌の露出を小さくしたり、滑り落ちを防止するためには、縦長の布地を乳幼児に何回も巻き付けなければならず、乳幼児の自由な動きを阻害することとなる。
【０００４】
また、タオル等の布や上記沐浴用エプロンは、乳幼児の身体に掛けると、身体が覆われて見えなくなる。このため、目視により確認しながら乳幼児の身体を洗いたい場合は、身体に掛けられたタオルや沐浴用エプロンをめくったり取り外したりする必要があり、保温効果が薄れたり乳幼児に不安感を与えることになる。タオルや沐浴用エプロンを掛けたままの状態として手探りで洗う場合は、目視により確認できないため洗いにくく、洗い残しの心配もある。
【０００５】
そこで本考案の目的は、乳幼児を入浴させるに際し、乳幼児の自由な動きを確保しながらも、乳幼児の身体から滑り落ちることがなく、且つ、保温効果や安心感を与える効果も十分に得られ、更には、乳幼児の身体を保温する効果や安心感を与える効果を損なうことなしに、目視により確認しながら身体を洗うことが可能な入浴用衣服を提供することにある。
【課題を解決するための手段】
【０００６】
上記の課題を解決し、その目的を達成するための手段として、本考案の入浴用衣服は、入浴に際して乳幼児に着衣させる入浴用衣服であり、腕を通すことが可能な腕部と、胴の少なくとも一部を被覆可能な胴部とを備えることを特徴とする。
【０００７】
本考案の入浴用衣服は、乳幼児を入浴させるに際し、乳幼児の身体を保温したり安心感を与えたりするために、乳幼児に着衣させて使用するものである。使用に際しては、乳幼児の腕を腕部に通し、胴の少なくとも一部を胴部が被覆するように着衣させる。乳幼児は着衣した状態で腕を自由に動かすことが可能であり、乳幼児の動きを阻害することもない。腕部に腕を通すため、入浴用衣服が乳幼児の身体から滑り落ちることもない。腕は腕部により、胴は胴部により被覆可能であるため、長方形状のタオルを掛けたり縦長の一枚の布を巻き付けたりする場合のように被覆しきれずに肌が露出するようなこともなく、保温効果や安心感を与える効果が十分に得られる。
【０００８】
前記腕部及び／又は胴部は、着衣したときに肌が透ける程度に透明又は半透明又はメッシュ状であることが好ましい。
【０００９】
本考案の入浴用衣服を着衣させた状態で乳幼児の身体を洗うときは、腕部や胴部の下に手を入れて洗う。腕部及び／又は胴部は肌が透ける程度に透明又は半透明又はメッシュ状であるため、着衣したままの状態として保温効果や安心感を維持しながらも、目視により確認しながら乳幼児の身体を洗うことができる。
【００１０】
また、本考案の入浴用衣服は、前記腕部及び／又は前記胴部が取り付け取り外し可能であることが好ましい。
【００１１】
本考案によれば、腕部や胴部が取り付け取り外し可能であるため、着衣や脱衣に際しては、腕部を取り外した状態で片腕ずつ着脱させたり、腕部や胴部を取り外した状態で洗濯したり収納したりするなど、様々な作業に便利である。
【００１２】
また、本考案の入浴用衣服は、前記腕部及び／又は胴部の取り付け位置が変更可能であることが好ましい。
【００１３】
本考案によれば、前記腕部や胴部の取り付け位置が変更可能であるため、腕部や胴部を着衣させる乳幼児の体型にあわせた位置に調整することができる。
【００１４】
また、本考案の入浴用衣服は、前記入浴用衣服を着衣させた状態で身体に固定するための固定手段を備えることを特徴とする。
【００１５】
本考案によれば、入浴用衣服は固定手段により着衣させた状態で身体に固定されるため、抱きかかえたときや入浴中などにおいても位置ズレすることがない。
【考案の効果】
【００１６】
本考案の入浴用衣服によれば、乳幼児の腕を腕部に通し、少なくとも胴の一部に胴部が掛かるように着衣させて使用すると、着衣させた入浴用衣服は乳幼児の身体から滑り落ちることがないため、入浴させやすく、保温や安心感を与える効果も安定して得られる。着衣により乳幼児の動きを阻害することもない。また、入浴用衣服の腕部や胴部を肌が透ける程度に透明又は半透明又はメッシュ状としたときは、乳幼児の身体を洗うに際して、入浴用衣服をめくったり脱衣させたりする必要はなく、着衣させたままの状態として腕部や胴部の下に手を入れて洗う。入浴用衣服の腕部や胴部は肌が透ける程度に透明又は半透明又はメッシュ状であるため、目視により確認しながら乳幼児の身体を洗うことができ、作業がしやすく、洗い残しなどの心配もない。着衣させたままの状態で洗うことができるため、保温効果や安心感を損なうこともない。
【００１７】
入浴用衣服の腕部や胴部を取り付け取り外し可能とすれば、腕部や胴部を取り外した状態で着脱させたり、洗濯したり収納したりするなど、様々な作業に便利である。さらに、腕部や胴部の取り付け位置を変更可能とすれば、乳幼児の体型にあわせた位置に調整することができる。固定手段により入浴用衣服を乳幼児の身体に固定可能とすれば、抱きかかえたときや入浴中などにおいても入浴用衣服が位置ズレすることもない。
【考案を実施するための最良の形態】
【００１８】
以下、本考案の実施の形態について図面を参照しながら説明する。
【００１９】
（第１の実施の形態）
本実施の形態の入浴用衣服１０は、乳幼児を入浴させるに際して、乳幼児の身体を保温したり安心感を与えたりするために、乳幼児に着衣させて使用するものであり、図１に示すように、腕部１ａ，１ｂと胴部２とを備える。
【００２０】
腕部１ａ，１ｂは、一枚の長方形のシートの向かい合う二辺側の端部を縫い合わせて筒状にしたものであり、胴部２は一枚の長方形状のシートである。腕部１ａ，１ｂと胴部２となるシートは、不透明でも良いが、肌が透けて見える程度に、透明又は半透明又はメッシュ状であることが好ましい。素材としては綿や絹などの布製が好ましいが、化学繊維などでも良い。
【００２１】
腕部１ａ，１ｂと胴部２とは、筒状の腕部１ａ，１ｂが袖となり、胴部２が前身頃となるように互いに取り付けられている。詳しくは、長方形状の胴部２の向かい合う二辺のうち、一方の辺２ａ側には一方の腕部１ａの端部が取り付けられ、他方の辺２ｂ側には他方の腕部１ｂの端部が取り付けられている。取り付け箇所は、腕部１ａ，１ｂと胴部２との重なる全範囲を縫合等により接合しても良いが、本実施の形態のように、胴部２の角部のみの箇所を縫合等したほうが、腕部１ａ，１ｂの動きの自由度が高くなり好ましい。また、取り付け位置は、腕部１ａ，１ｂよりも胴部２が下に位置するようにして、乳幼児に着用させた際に首回りが凹状となるようにしたほうが、胴部２が顔にかからなくて使いやすい。腕部１ａ，１ｂは乳幼児の腕の途中までを覆う半そでタイプとしても良いが、指先まで覆う長さとしたほうが、優れた保温効果が得られ、乳幼児が腕部１ａ，１ｂの端を握り締めることができるため更に安心感を与えられる。胴部２は、乳児に着衣させたときに、胴の一部を被覆する程度の大きさであればよく、胸付近を被覆する程度の大きさでも、足先まで覆い隠す大きさでも良い。
【００２２】
図２は、入浴用衣服１０の使用状態の例を説明する説明図である。入浴用衣服１０を使用するときは、乳幼児の腕を腕部１ａ，１ｂに通し、胸付近を胴部２にて覆うようにして着用させた後、乳幼児用の小型の浴槽に身体を浸けたり（図２参照）、抱きかかえた状態で内風呂に入れたりして使用する。腕部１ａ，１ｂに腕を通すため、乳幼児は腕を自由に動かすことができ、なおかつ、入浴用衣服が乳幼児の身体から滑り落ちることもない。したがって、乳幼児には自由な動きを阻害することなしに安心感と保温効果を安定して与えることができ、乳幼児を抱える親等はタオル等の滑り落ちを心配して動きが制約されることもない。
【００２３】
図３は、乳幼児に入浴用衣服１０を着用させた状態で身体を洗う様子を説明する説明図である。乳幼児の身体を洗うときは、腕部１ａ，１ｂや胴部２の下に手を入れて作業を行う。腕部１ａ，１ｂや胴部２は肌が透ける程度に透明又は半透明又はメッシュ状であるため、着衣したままの状態として保温効果や安心感を維持させながらも、目視により確認しながら乳幼児の身体を洗うことができる。入浴用衣服１０には後身頃がなく、背中側は開いた状態となっているため、着脱が容易である。
【００２４】
図４は、本考案の第２の実施の形態の入浴用衣服２０を示す平面図である。入浴用衣服２０は、腕部１ａ，１ｂと胴部２とが取り付け取り外し可能となっている。取り付け取り外しは、例えば腕部１ａ，１ｂや胴部２に設けられるボタンｂとボタンホールｈにより行われる。ボタンｂやボタンホールｈは、乳幼児に着用させたときの背丈方向に沿って複数個設けることにより、背丈方向での位置調整が可能となり、着用させたときの幅方向に沿って複数個設けることにより幅方向での位置調整が可能となっている。具体的には、各腕部１ａ，１ｂの胴部２側の端部には端辺に沿って複数（本実施の形態では三つ）のボタンｂ，，，ｂが間隔を設けて取り付けられており、長方形状の胴部２には、向かい合う二辺に沿って、複数（本実施の形態では二つ）のボタンホールｈ，，，ｈが設けられている。ボタンホールｈ，，，ｈは、向かい合う二辺側に、各々一列ずつ設けられても良いが、各々の辺側に複数列（本実施の形態では二列）ずつ設けるほうが、取り付け位置調整の自由度が高まる。同様の理由で腕部１ａ，１ｂのボタンを端辺に沿って複数列に取り付けても良い。腕部１ａ，１ｂや胴部２の取り付け位置の調整が不要な場合は、各腕部にボタンｂを一つ、胴部の各辺側にボタンホールｈを各々一つとして、取り付け取り外しの機能のみを備えるようにしても良い。取り付け取り外し可能であればボタンやボタンホールに限らず、例えば面状ファスナーや紐やホックなどでも良い。
【００２５】
入浴用衣服２０は例えば以下のように使用できる。乳幼児に着衣させるときは、腕部１ａ，１ｂを取り外した状態として片腕ずつ挿通させ、その後に腕部１ａ，１ｂと胴部２とを互いに取り付ける。片腕ずつ取り扱うことができるため、簡単に着衣させることができる。脱衣させるときは、胴部２と腕部１ａ，１ｂを取り外した状態とし、胴部２を胴から外し、腕部１ａ，１ｂを片腕ずつ抜けば、脱衣も簡単に行うことができる。また、腕部１ａ，１ｂと胴部２とを取り外して洗濯しても良いし、別々にして干せば乾燥も早い。取り外して折り畳めば、コンパクトに収まり、収納にも便利である。
【００２６】
位置調整を行うときは、腕部１ａ，１ｂと胴部２とを所望の取り付け位置に合うように配置し、その位置に合うボタンｂとボタンホールｈを選択して嵌め合わせる。たとえば、首周りを大きく開くようにしたい場合は、腕部１ａ，１ｂに対して胴部２を下げて取り付ける。胴幅を狭くしたい場合は、胴部２に対して腕部１ａ，１ｂを内側に位置させて取り付ける。これにより、乳幼児の体型にあわせた位置に調整することができる。
【００２７】
また、入浴用衣服２０は、乳幼児に着衣させたときに位置ズレを防止するための固定手段３を備えても良い。固定手段３は、入浴用衣服２０の位置ズレを防止可能であれば良く、例えば着衣したときに乳幼児の首に掛けて使用する紐などである。紐状の固定手段３の両端にはボタンホールｈが設けられており、一端は一方の腕部１ａのボタンｂ，，，ｂに、他端は他方の腕部１ｂのボタンｂ，，，ｂに取り付け取り外し可能となっている。ボタンホールｈは複数（本実施の形態では各端部に二つ）設けられており、嵌め合わせるボタンｂとボタンホールｈの組み合わせにより紐の長さが調整可能となっている。
【００２８】
固定手段３を使用するときは、入浴用衣服２０を着衣させた後に、紐状の固定手段３の一端側のボタンホールｈに腕部１ａのボタンｂを、他端側のボタンホールｈに他方の腕部１ｂのボタンｂを嵌め込んで、紐状の固定手段３を首に掛けた状態とする。あらかじめ紐状の固定手段３の両端を取り付けた後に、頭を入れるようにして首に掛けても良い。固定手段３により、乳幼児を抱きかかえたときや入浴中などにおいても入浴用衣服２０の位置ズレが防止される。固定手段３は、首に掛けるようなものでなくとも、入浴用衣服２０を身体に固定可能であればよく、例えば、胴部２の両脇に紐を取り付けて背中側で結ぶようなものなどでも良い。
【００２９】
本考案の入浴用衣服は、上記実施の形態に限られるものではなく、例えば、腕部又は胴部のいずれか一方のみを透明又は半透明又はメッシュ状にしてもよい。また、腕部や胴部のほかに、後身頃として背中を覆う背中部や、脚を覆う脚部などを備えても良いし、それらが一体的に構成されていたり、腕部のみが取り付け取り外し可能なように、又は、胴部のみが取り付け取り外し可能なように構成されていても良い。胴部を腰や脚まで覆うような長さとしても良い。
【図面の簡単な説明】
【００３０】
【図１】本考案の第１の実施の形態の入浴用衣服を示す斜視図である。
【図２】上記第１の実施の形態の入浴用衣服の使用状態を説明する説明図である。
【図３】上記第１の実施の形態の入浴用衣服を着用させて身体を洗う状態を説明する説明図である。
【図４】第２の実施の形態の入浴用衣服を示す平面図である。
【図５】乳幼児にタオル等を掛けて入浴させる従来の入浴状態の例を説明する説明図である。
【符号の説明】
【００３１】
１ａ，１ｂ          腕部
２                  胴部
３                  固定手段
ｂ                  ボタン
ｈ                  ボタンホール
１０，２０          入浴用衣服
【図１】
0003122421.tif 000003
【図２】
0003122421.tif 000004
【図３】
0003122421.tif 000005
【図４】
0003122421.tif 000006
【図５】
0003122421.tif 000007
【手続補正書】
【提出日】平成18年4月5日(2006.4.5)
【手続補正１】
【補正対象書類名】実用新案登録請求の範囲
【補正対象項目名】全文
【補正方法】変更
【補正の内容】
【実用新案登録請求の範囲】
【請求項１】
入浴に際して乳幼児に着衣させる入浴用衣服であり、
胴の少なくとも一部を被覆可能な胴部と、当該胴部に取り付けられて腕を通すことが可能な腕部とを備えることを特徴とする入浴用衣服。
【請求項２】
前記腕部及び／又は胴部は、着衣したときに肌が透ける程度に透明又は半透明又はメッシュ状であることを特徴とする請求項１記載の入浴用衣服。
【請求項３】
前記腕部及び／又は前記胴部は取り付け取り外し可能であることを特徴とする請求項１又は請求項２記載の入浴用衣服。
【請求項４】
前記腕部及び／又は前記胴部は取り付け位置が変更可能であることを特徴とする請求項３記載の入浴用衣服。
【請求項５】
前記入浴用衣服を着衣させた状態で乳幼児の身体に固定するための固定手段を備えることを特徴とする請求項１乃至請求項４のいずれか１項に記載の入浴用衣服。
【手続補正２】
【補正対象書類名】明細書
【補正対象項目名】全文
【補正方法】変更
【補正の内容】
【考案の詳細な説明】
【技術分野】
【０００１】
本考案は、入浴に際して乳幼児に着衣させる入浴用衣服に関する。
【背景技術】
【０００２】
乳幼児を入浴させるに際しては、乳幼児の身体を保温したり、乳幼児に安心感を与えたりすることを目的として、乳幼児の胸部付近にタオル等の布を掛けることが多い。生後間もないうちは図５のように、小型の浴槽に身体を浸けて入浴させたり、生後１ヶ月程経過すると、親が抱きかかえて家の内風呂にて入浴させたりするが、いずれの場合も、乳幼児の胸部付近に布を掛けて入浴させる。この胸部付近に掛ける布は、タオル等のような長方形状の一枚の布を利用することが多いが、入浴用に工夫されたものも提案されている。たとえば、特許文献１には、沐浴用エプロンが開示されている。この沐浴用エプロンは、縦長の布地を、一方は乳幼児に巻き付け、他方は母親等の乳幼児を抱きかかえる者の首に結んで、乳幼児を胸元に安定して抱きかかえられるようにしたものである。
【特許文献１】実開平５−５１９０４号公報
【考案の開示】
【考案が解決しようとする課題】
【０００３】
しかしながら、上記のように乳幼児にタオル等の一枚の布を掛ける場合は、タオル等が身体から滑り落ちやすく、親等はタオル等が滑り落ちないように常に注意しながら入浴させなければならなかった。とくに、タオル等の下に手を入れて身体を洗う場合は、掛けられただけの状態のタオル等が手の動きによってずれたり落ちたりしやすく、洗うのが大変困難であった。また、タオル等の布や上記沐浴用エプロンは、長方形状や縦長などの一枚の布地を用いるため、乳幼児の腕や肩などが一部露出してしまい、保温効果や安心感を与える効果が十分に得られなかった。とくに、沐浴用エプロンを用いて肌の露出を小さくしたり、滑り落ちを防止するためには、縦長の布地を乳幼児に何回も巻き付けなければならず、乳幼児の自由な動きを阻害することとなる。
【０００４】
また、タオル等の布や上記沐浴用エプロンは、乳幼児の身体に掛けると、身体が覆われて見えなくなる。このため、目視により確認しながら乳幼児の身体を洗いたい場合は、身体に掛けられたタオルや沐浴用エプロンをめくったり取り外したりする必要があり、保温効果が薄れたり乳幼児に不安感を与えることになる。タオルや沐浴用エプロンを掛けたままの状態として手探りで洗う場合は、目視により確認できないため洗いにくく、洗い残しの心配もある。
【０００５】
そこで本考案の目的は、乳幼児を入浴させるに際し、乳幼児の自由な動きを確保しながらも、乳幼児の身体から滑り落ちることがなく、且つ、保温効果や安心感を与える効果も十分に得られ、更には、乳幼児の身体を保温する効果や安心感を与える効果を損なうことなしに、目視により確認しながら身体を洗うことが可能な入浴用衣服を提供することにある。
【課題を解決するための手段】
【０００６】
上記の課題を解決し、その目的を達成するための手段として、本考案の入浴用衣服は、入浴に際して乳幼児に着衣させる入浴用衣服であり、胴の少なくとも一部を被覆可能な胴部と、当該胴部に取り付けられて腕を通すことが可能な腕部とを備えることを特徴とする。
【０００７】
本考案の入浴用衣服は、乳幼児を入浴させるに際し、乳幼児の身体を保温したり安心感を与えたりするために、乳幼児に着衣させて使用するものである。使用に際しては、乳幼児の腕を腕部に通し、胴の少なくとも一部を胴部が被覆するように着衣させる。乳幼児は着衣した状態で腕を自由に動かすことが可能であり、乳幼児の動きを阻害することもない。腕部に腕を通すため、入浴用衣服が乳幼児の身体から滑り落ちることもない。腕は腕部により、胴は胴部により被覆可能であるため、長方形状のタオルを掛けたり縦長の一枚の布を巻き付けたりする場合のように被覆しきれずに肌が露出するようなこともなく、保温効果や安心感を与える効果が十分に得られる。
【０００８】
前記腕部及び／又は胴部は、着衣したときに肌が透ける程度に透明又は半透明又はメッシュ状であることが好ましい。
【０００９】
本考案の入浴用衣服を着衣させた状態で乳幼児の身体を洗うときは、腕部や胴部の下に手を入れて洗う。腕部及び／又は胴部は肌が透ける程度に透明又は半透明又はメッシュ状であるため、着衣したままの状態として保温効果や安心感を維持しながらも、目視により確認しながら乳幼児の身体を洗うことができる。
【００１０】
また、本考案の入浴用衣服は、前記腕部及び／又は前記胴部が取り付け取り外し可能であることが好ましい。
【００１１】
本考案によれば、腕部や胴部が取り付け取り外し可能であるため、着衣や脱衣に際しては、腕部を取り外した状態で片腕ずつ着脱させたり、腕部や胴部を取り外した状態で洗濯したり収納したりするなど、様々な作業に便利である。
【００１２】
また、本考案の入浴用衣服は、前記腕部及び／又は胴部の取り付け位置が変更可能であることが好ましい。
【００１３】
本考案によれば、前記腕部や胴部の取り付け位置が変更可能であるため、腕部や胴部を着衣させる乳幼児の体型にあわせた位置に調整することができる。
【００１４】
また、本考案の入浴用衣服は、前記入浴用衣服を着衣させた状態で乳幼児の身体に固定するための固定手段を備えることを特徴とする。
【００１５】
本考案によれば、入浴用衣服は固定手段により着衣させた状態で乳幼児の身体に固定されるため、抱きかかえたときや入浴中などにおいても位置ズレすることがない。
【考案の効果】
【００１６】
本考案の入浴用衣服によれば、乳幼児の腕を腕部に通し、少なくとも胴の一部に胴部が掛かるように着衣させて使用すると、着衣させた入浴用衣服は乳幼児の身体から滑り落ちることがないため、入浴させやすく、保温や安心感を与える効果も安定して得られる。着衣により乳幼児の動きを阻害することもない。また、入浴用衣服の腕部や胴部を肌が透ける程度に透明又は半透明又はメッシュ状としたときは、乳幼児の身体を洗うに際して、入浴用衣服をめくったり脱衣させたりする必要はなく、着衣させたままの状態として腕部や胴部の下に手を入れて洗う。入浴用衣服の腕部や胴部は肌が透ける程度に透明又は半透明又はメッシュ状であるため、目視により確認しながら乳幼児の身体を洗うことができ、作業がしやすく、洗い残しなどの心配もない。着衣させたままの状態で洗うことができるため、保温効果や安心感を損なうこともない。
【００１７】
入浴用衣服の腕部や胴部を取り付け取り外し可能とすれば、腕部や胴部を取り外した状態で着脱させたり、洗濯したり収納したりするなど、様々な作業に便利である。さらに、腕部や胴部の取り付け位置を変更可能とすれば、乳幼児の体型にあわせた位置に調整することができる。固定手段により入浴用衣服を乳幼児の身体に固定可能とすれば、抱きかかえたときや入浴中などにおいても入浴用衣服が位置ズレすることもない。
【考案を実施するための最良の形態】
【００１８】
以下、本考案の実施の形態について図面を参照しながら説明する。
【００１９】
（第１の実施の形態）
本実施の形態の入浴用衣服１０は、乳幼児を入浴させるに際して、乳幼児の身体を保温したり安心感を与えたりするために、乳幼児に着衣させて使用するものであり、図１に示すように、腕部１ａ，１ｂと胴部２とを備える。
【００２０】
腕部１ａ，１ｂは、一枚の長方形のシートの向かい合う二辺側の端部を縫い合わせて筒状にしたものであり、胴部２は一枚の長方形状のシートである。腕部１ａ，１ｂと胴部２となるシートは、不透明でも良いが、肌が透けて見える程度に、透明又は半透明又はメッシュ状であることが好ましい。素材としては綿や絹などの布製が好ましいが、化学繊維などでも良い。
【００２１】
腕部１ａ，１ｂと胴部２とは、筒状の腕部１ａ，１ｂが袖となり、胴部２が前身頃となるように互いに取り付けられている。詳しくは、長方形状の胴部２の向かい合う二辺のうち、一方の辺２ａ側には一方の腕部１ａの端部が取り付けられ、他方の辺２ｂ側には他方の腕部１ｂの端部が取り付けられている。取り付け箇所は、腕部１ａ，１ｂと胴部２との重なる全範囲を縫合等により接合しても良いが、本実施の形態のように、胴部２の角部のみの箇所を縫合等したほうが、腕部１ａ，１ｂの動きの自由度が高くなり好ましい。また、取り付け位置は、腕部１ａ，１ｂよりも胴部２が下に位置するようにして、乳幼児に着用させた際に首回りが凹状となるようにしたほうが、胴部２が顔にかからなくて使いやすい。腕部１ａ，１ｂは乳幼児の腕の途中までを覆う半そでタイプとしても良いが、指先まで覆う長さとしたほうが、優れた保温効果が得られ、乳幼児が腕部１ａ，１ｂの端を握り締めることができるため更に安心感を与えられる。胴部２は、乳児に着衣させたときに、胴の一部を被覆する程度の大きさであればよく、胸付近を被覆する程度の大きさでも、足先まで覆い隠す大きさでも良い。
【００２２】
図２は、入浴用衣服１０の使用状態の例を説明する説明図である。入浴用衣服１０を使用するときは、乳幼児の腕を腕部１ａ，１ｂに通し、胸付近を胴部２にて覆うようにして着用させた後、乳幼児用の小型の浴槽に身体を浸けたり（図２参照）、抱きかかえた状態で内風呂に入れたりして使用する。腕部１ａ，１ｂに腕を通すため、乳幼児は腕を自由に動かすことができ、なおかつ、入浴用衣服が乳幼児の身体から滑り落ちることもない。したがって、乳幼児には自由な動きを阻害することなしに安心感と保温効果を安定して与えることができ、乳幼児を抱える親等はタオル等の滑り落ちを心配して動きが制約されることもない。
【００２３】
図３は、乳幼児に入浴用衣服１０を着用させた状態で身体を洗う様子を説明する説明図である。乳幼児の身体を洗うときは、腕部１ａ，１ｂや胴部２の下に手を入れて作業を行う。腕部１ａ，１ｂや胴部２は肌が透ける程度に透明又は半透明又はメッシュ状であるため、着衣したままの状態として保温効果や安心感を維持させながらも、目視により確認しながら乳幼児の身体を洗うことができる。入浴用衣服１０には後身頃がなく、背中側は開いた状態となっているため、着脱が容易である。
【００２４】
図４は、本考案の第２の実施の形態の入浴用衣服２０を示す平面図である。入浴用衣服２０は、腕部１ａ，１ｂと胴部２とが取り付け取り外し可能となっている。取り付け取り外しは、例えば腕部１ａ，１ｂや胴部２に設けられるボタンｂとボタンホールｈにより行われる。ボタンｂやボタンホールｈは、乳幼児に着用させたときの背丈方向に沿って複数個設けることにより、背丈方向での位置調整が可能となり、着用させたときの幅方向に沿って複数個設けることにより幅方向での位置調整が可能となっている。具体的には、各腕部１ａ，１ｂの胴部２側の端部には端辺に沿って複数（本実施の形態では三つ）のボタンｂ，，，ｂが間隔を設けて取り付けられており、長方形状の胴部２には、向かい合う二辺に沿って、複数（本実施の形態では二つ）のボタンホールｈ，，，ｈが設けられている。ボタンホールｈ，，，ｈは、向かい合う二辺側に、各々一列ずつ設けられても良いが、各々の辺側に複数列（本実施の形態では二列）ずつ設けるほうが、取り付け位置調整の自由度が高まる。同様の理由で腕部１ａ，１ｂのボタンを端辺に沿って複数列に取り付けても良い。腕部１ａ，１ｂや胴部２の取り付け位置の調整が不要な場合は、各腕部にボタンｂを一つ、胴部の各辺側にボタンホールｈを各々一つとして、取り付け取り外しの機能のみを備えるようにしても良い。取り付け取り外し可能であればボタンやボタンホールに限らず、例えば面状ファスナーや紐やホックなどでも良い。
【００２５】
入浴用衣服２０は例えば以下のように使用できる。乳幼児に着衣させるときは、腕部１ａ，１ｂを取り外した状態として片腕ずつ挿通させ、その後に腕部１ａ，１ｂと胴部２とを互いに取り付ける。片腕ずつ取り扱うことができるため、簡単に着衣させることができる。脱衣させるときは、胴部２と腕部１ａ，１ｂを取り外した状態とし、胴部２を胴から外し、腕部１ａ，１ｂを片腕ずつ抜けば、脱衣も簡単に行うことができる。また、腕部１ａ，１ｂと胴部２とを取り外して洗濯しても良いし、別々にして干せば乾燥も早い。取り外して折り畳めば、コンパクトに収まり、収納にも便利である。
【００２６】
位置調整を行うときは、腕部１ａ，１ｂと胴部２とを所望の取り付け位置に合うように配置し、その位置に合うボタンｂとボタンホールｈを選択して嵌め合わせる。たとえば、首周りを大きく開くようにしたい場合は、腕部１ａ，１ｂに対して胴部２を下げて取り付ける。胴幅を狭くしたい場合は、胴部２に対して腕部１ａ，１ｂを内側に位置させて取り付ける。これにより、乳幼児の体型にあわせた位置に調整することができる。
【００２７】
また、入浴用衣服２０は、乳幼児に着衣させたときに位置ズレを防止するための固定手段３を備えても良い。固定手段３は、入浴用衣服２０の位置ズレを防止可能であれば良く、例えば着衣したときに乳幼児の首に掛けて使用する紐などである。紐状の固定手段３の両端にはボタンホールｈが設けられており、一端は一方の腕部１ａのボタンｂ，，，ｂに、他端は他方の腕部１ｂのボタンｂ，，，ｂに取り付け取り外し可能となっている。ボタンホールｈは複数（本実施の形態では各端部に二つ）設けられており、嵌め合わせるボタンｂとボタンホールｈの組み合わせにより紐の長さが調整可能となっている。
【００２８】
固定手段３を使用するときは、入浴用衣服２０を着衣させた後に、紐状の固定手段３の一端側のボタンホールｈに腕部１ａのボタンｂを、他端側のボタンホールｈに他方の腕部１ｂのボタンｂを嵌め込んで、紐状の固定手段３を首に掛けた状態とする。あらかじめ紐状の固定手段３の両端を取り付けた後に、頭を入れるようにして首に掛けても良い。固定手段３により、乳幼児を抱きかかえたときや入浴中などにおいても入浴用衣服２０の位置ズレが防止される。固定手段３は、首に掛けるようなものでなくとも、入浴用衣服２０を身体に固定可能であればよく、例えば、胴部２の両脇に紐を取り付けて背中側で結ぶようなものなどでも良い。
【００２９】
本考案の入浴用衣服は、上記実施の形態に限られるものではなく、例えば、腕部又は胴部のいずれか一方のみを透明又は半透明又はメッシュ状にしてもよい。また、腕部や胴部のほかに、後身頃として背中を覆う背中部や、脚を覆う脚部などを備えても良いし、それらが一体的に構成されていたり、腕部のみが取り付け取り外し可能なように、又は、胴部のみが取り付け取り外し可能なように構成されていても良い。胴部を腰や脚まで覆うような長さとしても良い。
【図面の簡単な説明】
【００３０】
【図１】本考案の第１の実施の形態の入浴用衣服を示す斜視図である。
【図２】上記第１の実施の形態の入浴用衣服の使用状態を説明する説明図である。
【図３】上記第１の実施の形態の入浴用衣服を着用させて身体を洗う状態を説明する説明図である。
【図４】第２の実施の形態の入浴用衣服を示す平面図である。
【図５】乳幼児にタオル等を掛けて入浴させる従来の入浴状態の例を説明する説明図である。
【符号の説明】
【００３１】
１ａ，１ｂ          腕部
２                  胴部
３                  固定手段
ｂ                  ボタン
ｈ                  ボタンホール
１０，２０          入浴用衣服